(57)【要約】【課題】不揮発性メモリーへ複写するデータに制限を加えることで、容易にデータの初期化を行えるようにする。【解決手段】不揮発性メモリー４と、前記不揮発性メモリー４とは識別可能な初期化用不揮発性メモリー１１と、前記不揮発性メモリー４と前記初期化用不揮発性メモリー１１を識別して複写するデータを判別する不揮発性メモリー複写手段５を備えた制御装置としたものである。【選択図】図１
2006207878.tif 000002
【特許請求の範囲】
【請求項１】
不揮発性メモリーと、前記不揮発性メモリーとは識別可能な初期化用不揮発性メモリーと、前記不揮発性メモリーと前記初期化用不揮発性メモリーを識別して複写するデータを判別する不揮発性メモリー複写手段を備えた制御装置。
【請求項２】
操作スイッチと、ＣＯ値を測定するＣＯセンサーと、前記ＣＯセンサーの使用時間を記憶する不揮発性メモリーと、前記操作スイッチによる特殊操作によりＣＯセンサー関連値のみ複写しない操作判定手段を備えた請求項１記載の制御装置。
【請求項３】
操作スイッチと、前記操作判定手段により不揮発性メモリーのデータを複写する際に複写するデータを選択できる複写データ選択手段を備えた請求項１、２記載の制御装置。
【請求項４】
不揮発性メモリーのデータを複写する際に専用の複写スイッチを備えた請求項２、３記載の制御装置。
【請求項５】
前記操作判定手段により不揮発性メモリーのデータを複写する際に初期化用不揮発性メモリーからデータを複写するのか故障した制御装置の不揮発性メモリーからデータを複写するのかを選択できる不揮発性メモリー選別手段を備えた請求項２、３、４記載の制御装置。
【発明の詳細な説明】
【技術分野】
【０００１】
本発明は家庭用給湯機に関するものである。
【背景技術】
【０００２】
従来、例えば、ガス給湯機では、異なるアドレスの不揮発性メモリー間で不揮発性メモリー内データの複写を行うことにより、市場において制御基板の交換業務を行う場合に交換後の設定のやり直し、試運転のやり直し等を省くことが可能となり作業短縮を図っていた（例えば、特許文献１参照）。
【特許文献１】特開２００１−２６３６５４号公報
【発明の開示】
【発明が解決しようとする課題】
【０００３】
しかしながら、初期化用不揮発性メモリーから全てのデータを複写すると、ＣＯセンサーの使用時間などＣＯセンサーを交換していないのに初期化されてしまう。など、不揮発性メモリー内の記憶データによっては、複写してはいけないデータもいくつかあり、複写してはいけないデータエリアには、複写元の初期化用不揮発性メモリー内のデータに特定コードを記憶しておくことで複写しないデータを制限することは可能であるが、通常使用する不揮発性メモリーのデータと区別する必要があり、不揮発性メモリー用のデータを用途毎に複数作成して管理する必要があった。
【０００４】
また、市場においては、同じ機種での初期化用不揮発性メモリーが用途により複数必要となり、どの初期化用不揮発性メモリーを使用すればよいのか混乱する可能性があった。
【０００５】
本発明は、上記課題を解決するもので、容易に、複数の用途毎に初期化用不揮発性メモリーからの複写を行えるようにすることを目的とする。
【課題を解決するための手段】
【０００６】
前記従来の課題を解決するために、本発明の不揮発性メモリーへのデータを制限して複写する制御装置は、不揮発性メモリーと、前記不揮発性メモリーとは識別可能な初期化用不揮発性メモリーと、前記不揮発性メモリーと前記初期化用不揮発性メモリーを識別して複写するデータを判別する不揮発性メモリー複写手段を備えた制御装置としたものである。
【０００７】
これによって、不揮発性メモリー複写手段が、初期化用不揮発性メモリーからデータを複写する際には、不揮発性メモリー用のデータを複数作成して管理することなく、ＣＯセンサーの使用時間などのデータは複写せず必要なデータのみ複写することができる。また、操作スイッチにより特殊操作をすることにより複写するデータを選択でき、複数の用途毎に初期化用不揮発性メモリーからの複写を行うことができる。
【発明の効果】
【０００８】
本発明の不揮発性メモリーへのデータを制限して複写する制御装置は、不揮発性メモリー複写手段が、初期化用不揮発性メモリーからデータを複写する際には、不揮発性メモリー用のデータを複数作成して管理することなく、ＣＯセンサーの使用時間などは複写せず必要なデータのみ複写することができる。また、操作スイッチにより特殊操作をすることにより複写するデータを選択でき、複数の用途毎に初期化用不揮発性メモリーからの複写を行うことができる。
【発明を実施するための最良の形態】
【０００９】
第１の発明は不揮発性メモリーと、前記不揮発性メモリーとは識別可能な初期化用不揮発性メモリーと、前記不揮発性メモリーと前記初期化用不揮発性メモリーを識別して複写するデータを判別する不揮発性メモリー複写手段を備えた制御装置とすることにより、不揮発性メモリー複写手段が、初期化用不揮発性メモリーから不揮発性メモリーに複写する際には、不揮発性メモリー複写手段により、不揮発性メモリー用のデータを複数作成して管理することなく、不要なデータは複写せずにあらかじめ決めておいた必要なデータだけを複写する。また、故障した不揮発性メモリーから不揮発性メモリーに複写する際には、不揮発性メモリー複写手段により全てのデータを複写することができる。
【００１０】
第２の発明は、操作スイッチと、ＣＯ値を測定するＣＯセンサーと、前記ＣＯセンサーの使用時間を記憶する不揮発性メモリーと、前記操作スイッチにより特殊操作によりＣＯセンサー関連値のみ複写しない操作判定手段を備えた制御装置とすることにより、操作スイッチにより予め決めた特殊な操作をすることで、ＣＯセンサーの使用時間などのデータは複写せず必要なデータを複写することができる。
【００１１】
第３の発明は、操作スイッチと、前記操作判定手段により不揮発性メモリーのデータを複写する際に複写するデータを選択できる複写データ選択手段を備えた制御装置とすることにより、操作スイッチにより予め決めた特殊な操作をすることで、任意の必要なデータだけ複写することができる。
【００１２】
第４の発明は、不揮発性メモリーのデータを複写する際に専用の複写スイッチを備えた制御装置とすることにより、作業者が容易に不揮発性メモリーの複写を行うことができる。
【００１３】
第５の発明は、前記操作判定手段により不揮発性メモリーのデータを複写する際に初期化用不揮発性メモリーからデータを複写するのか故障した制御装置の不揮発性メモリーからデータを複写するのかを選択できる不揮発性メモリー選別手段を備えた制御装置とすることにより、複数の不揮発性メモリーが同時に接続した場合に、初期化したいデータは初期化用不揮発性メモリーから複写し、必要なデータは故障した制御装置の不揮発性メモリーから複写することができる。
【００１４】
以下、本発明の実施の形態について、図面を参照しながら説明する。なお、この実施の形態によって本発明が限定されるものではない。
【００１５】
（実施の形態１）
図１、本発明の一実施例としての給湯機の構成図である。３は制御器であり熱源機１の制御を行う。４は不揮発性メモリーで、熱源機１で使用する設定値や学習値などを記憶する。５は不揮発性メモリー複写手段で、制御器３の外部より不揮発性メモリー４にデータ−を複写する手段である。７は操作判定手段で操作スイッチ６の操作内容によって不揮発性メモリー４へ複写するデータを選択できる。８は複写スイッチで外部より不揮発性メモリー４への複写開始を指示するスイッチである。９は複写データ選択手段で、操作判定手段７による操作で複写するデータを選択できる。１０は不揮発性メモリー選別手段で不揮発性メモリー４への複写データを、初期化用不揮発性メモリー１１から複写するのか、故障した制御装置１２の不揮発性メモリーからデータを複写するのかを選択できる。１１は初期化用不揮発性メモリーで、市場で不揮発性メモリーのデータを初期化する際に使用し、熱源機１で使用する設定値や学習値なども初期化したデータとなっている。１２は故障した制御器で、制御器３が故障したもので内部に不揮発性メモリーがあり、不揮発性メモリーには故障時まで熱源機１で使用していた設定値や学習値などを記憶している。
【００１６】
以上のように構成された給湯機について、以下その動作、作用を説明する。
【００１７】
まず、本発明の第１の手段の動作について説明する。
【００１８】
熱源機１を制御する制御器３の中に不揮発性メモリー４があり、熱源機１で使用する設定値や学習値などを記憶している。制御器３が故障した際には、新しい制御器と交換する。故障した制御器１２には、熱源機１の使用していた設定値や学習値などの記憶が残っている。そのため、故障した制御器１２内の不揮発性メモリーのデータを制御器３の中の不揮発性メモリー４に複写する必要がある。また、熱源機１の動作が正常でない場合や、熱源器１の不揮発性メモリー４のデータが異常な場合には、初期化用不揮発性メモリー１１より制御器３内の不揮発性メモリー４に正常なデータを複写する必要がある。不揮発性メモリー複写手段５は、初期化用不揮発性メモリー１１から複写する場合には、熱源機１の学習値や器具の使用時間など複写しないデータをあらかじめ決めておいたデータを複写する。また、不揮発性メモリー複写手段５は、故障した制御器１２内の不揮発性メモリーのデータを複写する際には、全てのデータを複写することで、初期化用不揮発性メモリー１１からデータを複写する際には、複写用の不揮発性メモリーのデータを複数作成して管理することなく、必要なデータのみ複写することができる。
【００１９】
第２の手段では、ＣＯセンサー２を搭載する熱源機１では、ＣＯセンサー２の使用時間を記憶し、所定時間以上の使用があった場合、寿命報知し器具動作を停止するのが一般的である。そのため、初期化用不揮発性メモリー１１から不揮発性メモリー４にデータを複写すると、不揮発性メモリー４内のＣＯセンサーの使用時間まで初期化されると、正常にＣＯセンサー２の寿命報知することができなくなる。そこで、操作スイッチ６より特定の操作を行うと操作判定手段７により特定操作を認識し、不揮発性メモリー４内のＣＯセンサーの使用時間を複写しないように、不揮発性メモリー複写手段５に指示する。不揮発性メモリー複写手段５は、初期化用不揮発性メモリー１１から複写する場合でも、ＣＯセンサー２の使用時間など複写しないデータ操作をあらかじめ決めておくことで不要なデータを複写せず必要なデータを複写することができる。
【００２０】
第３の手段では、操作スイッチ６より特定の操作を行うと操作判定手段７により特定操作を認識し、複写データ選択手段９により複写したいデータを番号表示等により選択しやすくすることにより、初期化用不揮発性メモリー１１か、故障した制御器１２内の不揮発性メモリーのデータから複写する際に、操作スイッチにより予め決めた特殊な操作をすることで、任意の必要なデータだけ複写することができる。
【００２１】
第４の手段では、従来は、制御器３に電源投入した際に、初期化用不揮発性メモリー１１か故障した制御器１２が接続されているかを確認し、複写元がある場合にだけ複写していた。しかし、複写スイッチ８により電源投入時だけではなく、作業者が複写したいときには、いつでも複写スイッチ８を操作することで、容易に不揮発性メモリーの複写をすることができる。
【００２２】
第５の手段では、操作判定手段７により不揮発性メモリー４のデータを複写する際に、不揮発性メモリー選別手段１０により、初期化用不揮発性メモリー１１からデータを複写するのか故障した制御器１２内の不揮発性メモリーからデータを複写するのかを選択できるようにすることで、初期化したいデータは初期化用不揮発性メモリー１１から複写し、必要なデータは故障した制御器１２内の不揮発性メモリーから複写することが容易にできる。
【産業上の利用可能性】
【００２３】
以上のように、本発明にかかる不揮発性メモリーへのデータを制限して複写する制御装置は、不揮発性メモリー複写手段が、初期化用不揮発性メモリーからデータを複写する際には、複写用の不揮発性メモリーのデータを複数作成して管理することなく、ＣＯセンサーの使用時間などは複写せず必要なデータのみ複写することができる。また、操作スイッチにより操作をすることにより複写するデータを選択でき、複数の用途毎に初期化用不揮発性メモリーからの複写を行うことができるので、家庭用給湯機に適用できる。
【図面の簡単な説明】
【００２４】
【図１】本発明の実施の形態における給湯機の構成図
【符号の説明】
【００２５】
１  熱源機
２  ＣＯセンサー
３  制御器
４  不揮発性メモリー
５  不揮発性メモリー複写手段
６  操作スイッチ
７  操作判定手段
８  複写スイッチ
９  複写データ選択手段
１０  不揮発性メモリー選別手段
１１  初期化用不揮発性メモリー
１２  故障した制御器
【図１】
2006207878.tif 000003